(57)【要約】【課題】スキャン画像を含む素材から受信側で自律的に編集を行って完成文書を生成することのできるスキャン文書処理システムを提供する。【解決手段】スキャンした文書のメタデータを送信するメタデータ送信手段と、送信されたメタデータを受信するメタデータ受信手段と、受信したメタデータと予め設定されたレイアウト情報とを合成して編集メタデータを生成するメタデータ編集手段と、上記編集メタデータに基づいてレンダリングを行い完成文書を生成する文書編集手段とを備える。【選択図】図１
2007328726.tif 000002
【特許請求の範囲】
【請求項１】
スキャンした文書のメタデータを送信するメタデータ送信手段と、
送信されたメタデータを受信するメタデータ受信手段と、
受信したメタデータと予め設定されたレイアウト情報とを合成して編集メタデータを生成するメタデータ編集手段と、
上記編集メタデータに基づいてレンダリングを行い完成文書を生成する文書編集手段とを備えたことを特徴とするスキャン文書処理システム。
【請求項２】
請求項１に記載のスキャン文書処理システムにおいて、
上記メタデータはＲＳＳであり、上記メタデータ送信手段はＲＳＳ  Ｐｉｎｇとしてメタデータを送信することを特徴とするスキャン文書処理システム。
【請求項３】
請求項１に記載のスキャン文書処理システムにおいて、
上記メタデータ受信手段は、予め設定された受入条件を満たした場合に上記メタデータを受信することを特徴とするスキャン文書処理システム。
【請求項４】
請求項１に記載のスキャン文書処理システムにおいて、
上記メタデータ編集手段は、予め設定されたトリガーの条件を満たした場合に編集メタデータの生成を行うことを特徴とするスキャン文書処理システム。
【請求項５】
請求項１に記載のスキャン文書処理システムにおいて、
上記レイアウト情報は、ページセッティングのためのＨＴＭＬもしくはＣＳＳの断片により記述されることを特徴とするスキャン文書処理システム。
【請求項６】
請求項１に記載のスキャン文書処理システムにおいて、
上記編集メタデータを予め指定された送信先に送信する編集メタデータ送信手段を備えたことを特徴とするスキャン文書処理システム。
【請求項７】
請求項１に記載のスキャン文書処理システムにおいて、
上記編集メタデータを予め指定された受入条件を満たした場合に受信する編集メタデータ受信手段を備えたことを特徴とするスキャン文書処理システム。
【請求項８】
請求項１に記載のスキャン文書処理システムにおいて、
上記完成文書を予め指定された送信先に送信する文書送信手段を備えたことを特徴とするスキャン文書処理システム。
【請求項９】
請求項１に記載のスキャン文書処理システムにおいて、
上記メタデータ送信手段を第１のＭＦＰに配置し、
上記メタデータ受信手段、メタデータ編集手段および文書編集手段を第２のＭＦＰに配置することを特徴とするスキャン文書処理システム。
【請求項１０】
請求項１に記載のスキャン文書処理システムにおいて、
上記メタデータ送信手段を第１のＭＦＰに配置し、
上記メタデータ受信手段およびメタデータ編集手段を編集端末に配置し、
上記文書編集手段を第２のＭＦＰに配置することを特徴とするスキャン文書処理システム。
【請求項１１】
スキャンした文書のメタデータを受信するメタデータ受信手段と、
受信したメタデータと予め設定されたレイアウト情報とを合成して編集メタデータを生成するメタデータ編集手段と、
上記編集メタデータに基づいてレンダリングを行い完成文書を生成する文書編集手段とを備えたことを特徴とするＭＦＰ。
【請求項１２】
スキャンした文書のメタデータを受信するメタデータ受信手段と、
受信したメタデータと予め設定されたレイアウト情報とを合成して編集メタデータを生成するメタデータ編集手段とを備えたことを特徴とする編集端末。
【請求項１３】
スキャンした文書のメタデータを送信するメタデータ送信工程と、
送信されたメタデータを受信するメタデータ受信工程と、
受信したメタデータと予め設定されたレイアウト情報とを合成して編集メタデータを生成するメタデータ編集工程と、
上記編集メタデータに基づいてレンダリングを行い完成文書を生成する文書編集工程とを備えたことを特徴とするスキャン文書処理方法。
【請求項１４】
請求項１３に記載のスキャン文書処理方法において、
上記メタデータ受信工程は、予め設定された受入条件を満たした場合に上記メタデータを受信することを特徴とするスキャン文書処理方法。
【請求項１５】
請求項１３に記載のスキャン文書処理方法において、
上記メタデータ編集工程は、予め設定されたトリガーの条件を満たした場合に編集メタデータの生成を行うことを特徴とするスキャン文書処理方法。
【請求項１６】
請求項１３に記載のスキャン文書処理方法において、
上記編集メタデータを予め指定された送信先に送信する編集メタデータ送信工程を備えたことを特徴とするスキャン文書処理方法。
【請求項１７】
請求項１３に記載のスキャン文書処理方法において、
上記編集メタデータを予め指定された受入条件を満たした場合に受信する編集メタデータ受信工程を備えたことを特徴とするスキャン文書処理方法。
【請求項１８】
請求項１３に記載のスキャン文書処理方法において、
上記完成文書を予め指定された送信先に送信する文書送信工程を備えたことを特徴とするスキャン文書処理方法。
【発明の詳細な説明】
【技術分野】
【０００１】
本発明は、スキャン画像を含む素材から受信側で自律的に編集を行って完成文書（最終文書）を生成するようにしたスキャン文書処理システムに関する。
【背景技術】
【０００２】
オフィス内においては文書の電子化が進んでいる反面、紙の状態で入手もしくは発生する文書（プリントアウトされた文書の場合、プリントアウトされたものに手書き内容が加えられた文書の場合、すべて手書きの文書の場合等）も多く、これらを統一的に管理するため、ＭＦＰ（Multi Function Printer）等のスキャナ機能でスキャンし、画像データとして電子化した上で蓄積・配信等を行う技術が注目されている。
【０００３】
ところで、スキャン画像を配信する技術として従来からファクシミリが知られているが、このファクシミリではスキャンした画像を単に送信し、受信側では受信したスキャン画像をそのまま印刷するだけである。
【０００４】
一方、特許文献１には、スキャン画像等の比較的大きなサイズのファイルをネットワーク経由で配布するために、文書ファイルを取得するためのＵＲＩ（Uniform Resource Identifier）を電子メールで送信する技術が開示されている。
【特許文献１】特開２００５−２７８１６１号公報
【発明の開示】
【発明が解決しようとする課題】
【０００５】
上述したように、従来はスキャン画像をそのまま配信するに止まり、受信側で何らかの条件を付けて柔軟かつ自動的に加工するということはできなかった。
【０００６】
また、送信側の機器と受信側の機器の仕様（Spec）や設定（Configuration）の違いにより、必ずしも望ましい形で出力ができないという問題もあった。
【０００７】
本発明は上記の従来の問題点に鑑み提案されたものであり、その目的とするところは、スキャン画像を含む素材から受信側で自律的に編集を行って完成文書を生成することのできるスキャン文書処理システムを提供することにある。
【課題を解決するための手段】
【０００８】
上記の課題を解決するため、本発明にあっては、請求項１に記載されるように、スキャンした文書のメタデータを送信するメタデータ送信手段と、送信されたメタデータを受信するメタデータ受信手段と、受信したメタデータと予め設定されたレイアウト情報とを合成して編集メタデータを生成するメタデータ編集手段と、上記編集メタデータに基づいてレンダリングを行い完成文書を生成する文書編集手段とを備えるスキャン文書処理システムを要旨としている。
【０００９】
また、請求項２に記載されるように、請求項１に記載のスキャン文書処理システムにおいて、上記メタデータはＲＳＳであり、上記メタデータ送信手段はＲＳＳ  Ｐｉｎｇとしてメタデータを送信するようにすることができる。
【００１０】
また、請求項３に記載されるように、請求項１に記載のスキャン文書処理システムにおいて、上記メタデータ受信手段は、予め設定された受入条件を満たした場合に上記メタデータを受信するようにすることができる。
【００１１】
また、請求項４に記載されるように、請求項１に記載のスキャン文書処理システムにおいて、上記メタデータ編集手段は、予め設定されたトリガーの条件を満たした場合に編集メタデータの生成を行うようにすることができる。
【００１２】
また、請求項５に記載されるように、請求項１に記載のスキャン文書処理システムにおいて、上記レイアウト情報は、ページセッティングのためのＨＴＭＬもしくはＣＳＳの断片により記述されるものとすることができる。
【００１３】
また、請求項６に記載されるように、請求項１に記載のスキャン文書処理システムにおいて、上記編集メタデータを予め指定された送信先に送信する編集メタデータ送信手段を備えるようにすることができる。
【００１４】
また、請求項７に記載されるように、請求項１に記載のスキャン文書処理システムにおいて、上記編集メタデータを予め指定された受入条件を満たした場合に受信する編集メタデータ受信手段を備えるようにすることができる。
【００１５】
また、請求項８に記載されるように、請求項１に記載のスキャン文書処理システムにおいて、上記完成文書を予め指定された送信先に送信する文書送信手段を備えるようにすることができる。
【００１６】
また、請求項９に記載されるように、請求項１に記載のスキャン文書処理システムにおいて、上記メタデータ送信手段を第１のＭＦＰに配置し、上記メタデータ受信手段、メタデータ編集手段および文書編集手段を第２のＭＦＰに配置するようにすることができる。
【００１７】
また、請求項１０に記載されるように、請求項１に記載のスキャン文書処理システムにおいて、上記メタデータ送信手段を第１のＭＦＰに配置し、上記メタデータ受信手段およびメタデータ編集手段を編集端末に配置し、上記文書編集手段を第２のＭＦＰに配置するようにすることができる。
【００１８】
また、請求項１１に記載されるように、スキャンした文書のメタデータを受信するメタデータ受信手段と、受信したメタデータと予め設定されたレイアウト情報とを合成して編集メタデータを生成するメタデータ編集手段と、上記編集メタデータに基づいてレンダリングを行い完成文書を生成する文書編集手段とを備えるＭＦＰとして構成することができる。
【００１９】
また、請求項１２に記載されるように、スキャンした文書のメタデータを受信するメタデータ受信手段と、受信したメタデータと予め設定されたレイアウト情報とを合成して編集メタデータを生成するメタデータ編集手段とを備える編集端末として構成することができる。
【００２０】
また、請求項１３〜１８に記載されるように、スキャン文書処理方法として構成することができる。
【発明の効果】
【００２１】
本発明のスキャン文書処理システムにあっては、ＲＳＳ等のメタデータ技術を使うことにより、スキャン画像を含む素材から受信側で自律的に編集を行って完成文書を生成することができる。
【発明を実施するための最良の形態】
【００２２】
以下、本発明の好適な実施形態につき説明する。
【００２３】
＜システム構成＞
図１は本発明の一実施形態にかかるスキャン文書処理システムの構成例を示す図である。
【００２４】
図１において、スキャン文書処理システムは、文書の送信側となる送信ＭＦＰ１と、文書の受信側となる受信ＭＦＰ２とを備えている。
【００２５】
送信ＭＦＰ１は、送信ＭＦＰ１側の全体的な制御およびスキャン画像のメタデータ（書誌情報等）であるＲＳＳ（Rich Site Summary）の生成等を行う制御部１０１と、紙文書をスキャンするスキャナ１０２と、スキャン画像を素材として保存する文書ＤＢ（Data Base）１０３と、制御部１０１で生成したＲＳＳをＲＳＳ  Ｐｉｎｇとして送信するＲＳＳ  Ｐｉｎｇ送信部１０４と、受信ＭＦＰ２側からの要求に応えて文書ＤＢ１０３に保存された素材を配信する素材配信部１０５とを備えている。ここで、ＲＳＳ  Ｐｉｎｇとは、Ｐｉｎｇ発行時にＲＳＳを送付するプロトコルであり（http://rssping.com/）、現状ではバージョン１．０と２．０がある。バージョン２．０では、ＰｉｎｇのｘｍｌｒｐｃエンベロープにＲＳＳを入れて送る。入れるＲＳＳは明示すればどのバージョンでも可であり、Ａｔｏｍでもよい。このＲＳＳ  Ｐｉｎｇによれば、Ｐｉｎｇを受けた側がＲＳＳを取りに行く手間が省けるという利点がある。
【００２６】
受信ＭＦＰ２は、送信ＭＦＰ１側から受入条件（後述）に従ってＲＳＳ  Ｐｉｎｇを受信するＲＳＳ  Ｐｉｎｇ受信部１０６と、受信したＲＳＳ  Ｐｉｎｇに含まれるＲＳＳの保存等の処理を行うＲＳＳ処理部１０７と、ＲＳＳを保存するＲＳＳ  ＤＢ１０８と、編集起動のトリガー（後述）が満たされるか否か判定するトリガー判定部１０９と、ＲＳＳ  Ｐｉｎｇの受入条件、トリガー、レイアウト（後述）、編集ＲＳＳの送信先（後述）、編集ＲＳＳの受入条件（後述）、完成文書の送信先（後述）等のオブジェクトからなる編集コマンド（ＲＳＳの取り扱いを指定するメタデータ）を保存（原則として事前に設定）する編集コマンド保管部１１０と、受信したＲＳＳを編集して編集ＲＳＳを生成するＲＳＳ編集部１１１と、編集ＲＳＳを送信する編集ＲＳＳ送信部１１２とを備えている。また、編集ＲＳＳに従い文書編集（レンダリング）を行って完成文書を生成する文書編集部１１３と、完成文書の送信先に従って完成文書を送信する文書送信部１１４と、完成文書を印刷するプリンタ１１５と、完成文書を保存する文書ＤＢ１１６とを備えている。
【００２７】
図１に示した構成では、受信ＭＦＰ２で編集ＲＳＳを生成し、自装置内でこれを消費するようにしている。
【００２８】
図２は本発明の一実施形態にかかるスキャン文書処理システムの他の構成例を示す図であり、送信ＭＦＰ１と受信ＭＦＰ２の他にＰＣ（Personal Computer）等の編集端末３を設け、図１において受信ＭＦＰ２に備えていた機能を編集端末３と受信ＭＦＰ２に分割したものである。すなわち、図２において、送信ＭＦＰ１の構成は図１と同様であるが、編集端末３にはＲＳＳ  Ｐｉｎｇ受信部１０６とＲＳＳ処理部１０７とＲＳＳ  ＤＢ１０８とトリガー判定部１０９と編集コマンド保管部１１０とＲＳＳ編集部１１１と編集ＲＳＳ送信部１１２とが設けられている。また、受信ＭＦＰ２には文書編集部１１３と文書送信部１１４とプリンタ１１５と文書ＤＢ１１６とが設けられるとともに、編集ＲＳＳを受信する編集ＲＳＳ受信部１１７が新たに設けられている。
【００２９】
図２に示した構成では、編集端末３で編集ＲＳＳを生成し、１もしくは複数の受信ＭＦＰ２において編集ＲＳＳを使い回すことができるようにしている。
【００３０】
図３は編集コマンド等のクラス図であり、ＵＭＬ（Unified Modeling Language）の表記法に従って記述したものである。編集コマンドとしては、ＲＳＳ  Ｐｉｎｇの受入条件、編集ＲＳＳの受入条件、レイアウト、トリガー、編集ＲＳＳの送信先、完成文書の送信先のオブジェクトが含まれる。また、処理の対象となるオブジェクトとしては、ＲＳＳ  Ｐｉｎｇ、編集ＲＳＳ、リンク、素材、完成文書がある。
【００３１】
＜動作概要＞
図４はデータ加工の流れの例を示す図である。
【００３２】
図４において、紙の文書は送信ＭＦＰ１のスキャナ１０２によりスキャンされ、そのメタデータであるＲＳＳを含むＲＳＳ  ＰｉｎｇがＲＳＳ  Ｐｉｎｇ送信部１０４から送信される。なお、本実施形態では１回のスキャン毎に１個のＲＳＳ  Ｐｉｎｇを送信するものとしているが、数回のスキャン毎に１個ないしは数個のＲＳＳ  Ｐｉｎｇを送信したり、他の機器からの指示を受けてＲＳＳ  Ｐｉｎｇを送信したりすることもできる。
【００３３】
送信ＭＦＰ１から送信されたＲＳＳ  Ｐｉｎｇは、ＲＳＳ  Ｐｉｎｇ受信部１０６において、予め設定された編集コマンドのＲＳＳ  Ｐｉｎｇの受入条件が満たされた場合に受信され、ＲＳＳ処理部１０７に渡される。
【００３４】
次いで、予め設定された編集コマンドの、互いに対応付けられたトリガーおよびレイアウトのうちのトリガーの条件はトリガー判定部１０９で判定され、条件が満たされた場合にＲＳＳ編集部１１１を起動する。
【００３５】
これにより、ＲＳＳ編集部１１１においてＲＳＳの主要部分（itemタグ部分）とレイアウトとが合成されて編集ＲＳＳとされる。
【００３６】
編集ＲＳＳは編集ＲＳＳ送信部１１２において、予め設定された編集コマンドの編集ＲＳＳの送信先に従って送信される。
【００３７】
この編集ＲＳＳは、編集端末３を介在する場合、受信ＭＦＰ２の編集ＲＳＳ受信部１１７において、予め設定された編集コマンドの編集ＲＳＳの受入条件が満たされた場合に受信され、文書編集部１１３に渡される。編集端末３を介在しない場合は、編集ＲＳＳ送信部１１２から文書編集部１１３に直接に渡される。
【００３８】
次いで、文書編集部１１３において、編集ＲＳＳに含まれる素材のリンクおよびレイアウトに従ってレンダリングが行われ、完成文書が生成される。
【００３９】
生成された完成文書は、予め設定された編集コマンドの完成文書の送信先に従い、文書送信部１１４から送信され、プリンタ１１５が送信先の場合はプリンタ１１５に送信されて印刷され、文書ＤＢ１１６が送信先の場合は文書ＤＢ１１６に送信されて保存され、他のＭＦＰが送信先の場合は他のＭＦＰに配信されて適宜に処理される。
【００４０】
＜詳細動作＞
図５は文書のスキャンからＲＳＳ  Ｐｉｎｇの送信までの処理例を示す図である。
【００４１】
図５において、送信ＭＦＰ１では、制御部１０１の制御のもと、セットされた紙の文書をスキャナ１０２でスキャンし（ステップＳ１１）、制御部１０１はスキャン画像を取得し（ステップＳ１２）、文書ＤＢ１０３に素材として保存する（ステップＳ１３）。
【００４２】
また、制御部１０１はスキャンした文書のメタデータ（タイトル、保存場所へのリンク、日付、カテゴリ等）をＲＳＳとして生成し、ＲＳＳ  Ｐｉｎｇ送信部１０４に渡す（ステップＳ１４）。
【００４３】
そして、ＲＳＳ  Ｐｉｎｇ送信部１０４は渡されたＲＳＳをＲＳＳ  Ｐｉｎｇの体裁に加工し、予め設定された送信先（所定の受信ＭＦＰ２もしくは編集端末３）に送信する（ステップＳ１５）。図６はＲＳＳ  Ｐｉｎｇの例を示す図であり、ＲＳＳの記述Ｄ１２と、それを包むＲＳＳ  Ｐｉｎｇとしての記述Ｄ１１、Ｄ１３とを含んでいる。
【００４４】
図７は受信ＭＦＰ２もしくは編集端末３におけるＲＳＳ  Ｐｉｎｇの受入の処理例を示す図である。
【００４５】
図７において、複数の送信ＭＦＰ１（Ａ〜Ｄ）からＲＳＳ  Ｐｉｎｇが送信された場合（ステップＳ２１）、受信ＭＦＰ２もしくは編集端末３のＲＳＳ  Ｐｉｎｇ受信部１０６はＲＳＳ  Ｐｉｎｇの受入条件が満たされた場合にＲＳＳ  Ｐｉｎｇを受信し、受信したＲＳＳ  ＰｉｎｇをＲＳＳ処理部１０７に引き渡す（ステップＳ２２）。図示のようにＲＳＳ  Ｐｉｎｇの受入条件が「ＲＳＳ  Ｐｉｎｇの受入元：Ａ、Ｂ（カテゴリが「議事録」の場合に限る）、Ｃ」である場合は、送信ＭＦＰ１（Ａ）からのＲＳＳ  Ｐｉｎｇと、送信ＭＦＰ１（Ｂ）からの「議事録」に関するＲＳＳ  Ｐｉｎｇについてのみ受信を行ってＲＳＳ処理部１０７に引き渡す。
【００４６】
そして、ＲＳＳ処理部１０７はＲＳＳ  Ｐｉｎｇに含まれるＲＳＳをＲＳＳ  ＤＢ１０８に保存する（ステップＳ２３）。
【００４７】
図８はＲＳＳ  Ｐｉｎｇの受入条件の記述例を示す図であり、ＲＳＳ  Ｐｉｎｇの受入条件であることを示す記述Ｄ２１、Ｄ２４と、所定の受入元であることを条件とする記述Ｄ２２と、所定の受入元およびカテゴリであることを条件とする記述Ｄ２３とを含んでいる。
【００４８】
図９はトリガー判定の処理例を示す図である。
【００４９】
図９において、ＲＳＳ処理部１０７がＲＳＳをＲＳＳ  ＤＢ１０８に保存した後、トリガー判定部１０９はトリガーの条件を満たすか判定し（ここでは、トリガー＃１として「ＡからＲＳＳ  Ｐｉｎｇが来たとき」、トリガー＃２として「毎日午前０時になったとき」）、条件が満たされる場合は編集コマンド保管部１１０からトリガーに対応するレイアウトを取得し（ステップＳ３１）、ＲＳＳ編集部１１１に渡す（ステップＳ３２）。
【００５０】
図１０はトリガーの記述例を示す図である。（ａ）は所定の受入元からＲＳＳ  Ｐｉｎｇが来た場合を条件とするものであり、トリガーであることを示す記述Ｄ３０、Ｄ３４と、所定の受入元であることを条件とする記述Ｄ３１と、対応するレイアウトを示す記述Ｄ３２と、編集ＲＳＳの送信先を示す記述Ｄ３３とを含んでいる。（ｂ）は所定の時刻になった場合を条件とするものであり、トリガーであることを示す記述Ｄ３５、Ｄ３９と、所定の時刻になったことを条件とする記述Ｄ３６と、対応するレイアウトを示す記述Ｄ３７と、編集ＲＳＳの送信先を示す記述Ｄ３８とを含んでいる。
【００５１】
図１１はＲＳＳ編集の処理例を示す図である。
【００５２】
図１１において、トリガー判定部１０９からＲＳＳ編集部１１１にレイアウトが渡されると、ＲＳＳ編集部１１１はＲＳＳのitem部分とレイアウトとを合成して編集ＲＳＳを生成する。
【００５３】
図１２はレイアウトの記述例を示す図であり、レイアウトであることを示す記述Ｄ４１、Ｄ４３と、ＨＴＭＬ（Hyper Text Markup Language）／ＣＳＳ（Cascading Style Sheets）の断片によるレンダリング（ページセッティング）指定および直接／間接のリンク指定の記述Ｄ４２とを含んでいる。
【００５４】
図１３は生成された編集ＲＳＳの例を示す図であり、レイアウトの記述Ｄ４５と、元のＲＳＳのitem部分の記述Ｄ４６と、その他の記述Ｄ４４、Ｄ４７とを含んでいる。
【００５５】
図１４は編集ＲＳＳの送信の処理例を示す図である。
【００５６】
図１４において、編集ＲＳＳ送信部１１２は、トリガーに対応した送信先に従い、編集ＲＳＳを自装置内の文書編集部１１３あるいは別の受信ＭＦＰに送信する。
【００５７】
図１５は編集ＲＳＳの送信先の記述例を示す図であり、編集ＲＳＳの送信先であることを示す記述Ｄ５１、Ｄ５３と、送信先を指定する記述Ｄ５２とを含んでいる。
【００５８】
図１６は編集ＲＳＳの受入の処理例を示す図である。
【００５９】
図１６において、編集ＲＳＳ受信部１１７は、編集ＲＳＳの受入条件を判断し、条件が満たされた場合に編集ＲＳＳを受信し、文書編集部１１３に渡す。例えば、編集ＲＳＳの受入条件として「編集ＲＳＳの受入元がＡ、Ｂで、いずれも２０ページ未満」と設定されていた場合、元のＲＳＳ  ＰｉｎｇがＡからの１２ページの編集ＲＳＳであるａは受信するが、元のＲＳＳ  ＰｉｎｇがＢからの２５ページの編集ＲＳＳであるｂは受信しない。
【００６０】
図１７は編集ＲＳＳの受入条件の記述例を示す図であり、編集ＲＳＳの受入条件であることを示す記述Ｄ６１、Ｄ６３と、所定の受入元であることを条件とする記述Ｄ６２とを含んでいる。
【００６１】
図１８は編集ＲＳＳによるレンダリングの処理例を示す図である。
【００６２】
図１８において、受信ＭＦＰ２の文書編集部１１３は、編集ＲＳＳに含まれるリンクから送信ＭＦＰ１にアクセスし、素材配信部１０５を介して文書ＤＢ１０３からスキャン画像等の素材を取得し、レイアウトに従ってレンダリングを行う。なお、素材はリンクに従って送信ＭＦＰ１以外の場所から取得することもできる。
【００６３】
図１９は編集ＲＳＳによるレンダリングの様子をより詳しく示す図であり、編集ＲＳＳに含まれるレイアウト内の参照から素材に直接指定で行われるリンクと、レイアウト内のitemsの記述から間接指定のリンクにより編集ＲＳＳ内の参照を通してのハイパーリンクとにより、文書に必要な素材を取得し、完成文書としてレンダリングすることを示している。レイアウトに含まれるＨＴＭＬやＣＳＳに従って素材をレンダリングすることで、受信ＭＦＰ２側の機種の違いを吸収し、体裁を統一させることができる。
【００６４】
図２０はリンクの直接指定の例を示す図であり、編集ＲＳＳのedit:layout内の記述Ｄ７１（blockquoteのcite）により素材のＵＲＬ（Uniform Resource Locator）を辿ることにより素材を取得している。
【００６５】
図２１はリンクの間接指定の例を示す図であり、編集ＲＳＳのedit:layout内の記述Ｄ７２（imgのsrc）からitemの記述Ｄ７３、Ｄ７４（link）のＵＲＬを辿ることにより素材を取得している。
【００６６】
図２２は完成文書の送信の処理例を示す図である。
【００６７】
図２２において、受信ＭＦＰ２の文書送信部１１４は、完成文書を送信先の指定に従って送信する。図では送信先としてプリンタ（印刷）が指定されているため、プリンタ１１５に完成文書を送信し、印刷を行っている。その他、文書ＤＢ１１６に送信することで保存することもでき、他のＭＦＰに送信することで他のＭＦＰで規定された処理（完成文書を素材とした他の完成文書の生成等も可）を行わせることもできる。
【００６８】
図２３は完成文書の送信先の記述例を示す図であり、完成文書の送信先であることを示す記述Ｄ８１、Ｄ８４と、所定の機器を送信先として指定する記述Ｄ８２と、自機における印刷を指示する記述Ｄ８３とを含んでいる。
【００６９】
＜総括＞
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００７０】
【図１】本発明の一実施形態にかかるスキャン文書処理システムの構成例を示す図（その１）である。
【図２】本発明の一実施形態にかかるスキャン文書処理システムの構成例を示す図（その２）である。
【図３】編集コマンド等のクラス図である。
【図４】データ加工の流れの例を示す図である。
【図５】文書のスキャンからＲＳＳ  Ｐｉｎｇの送信までの処理例を示す図である。
【図６】ＲＳＳ  Ｐｉｎｇの例を示す図である。
【図７】ＲＳＳ  Ｐｉｎｇの受入の処理例を示す図である。
【図８】ＲＳＳ  Ｐｉｎｇの受入条件の記述例を示す図である。
【図９】トリガー判定の処理例を示す図である。
【図１０】トリガーの記述例を示す図である。
【図１１】ＲＳＳ編集の処理例を示す図である。
【図１２】レイアウトの記述例を示す図である。
【図１３】生成された編集ＲＳＳの例を示す図である。
【図１４】編集ＲＳＳの送信の処理例を示す図である。
【図１５】編集ＲＳＳの送信先の記述例を示す図である。
【図１６】編集ＲＳＳの受入の処理例を示す図である。
【図１７】編集ＲＳＳの受入条件の記述例を示す図である。
【図１８】編集ＲＳＳによるレンダリングの処理例を示す図である。
【図１９】編集ＲＳＳによるレンダリングの様子をより詳しく示す図である。
【図２０】リンクの直接指定の例を示す図である。
【図２１】リンクの間接指定の例を示す図である。
【図２２】完成文書の送信の処理例を示す図である。
【図２３】完成文書の送信先の記述例を示す図である。
【符号の説明】
【００７１】
１        送信ＭＦＰ
２        受信ＭＦＰ
３        編集端末
１０１    制御部
１０２    スキャナ
１０３    文書ＤＢ
１０４    ＲＳＳ  Ｐｉｎｇ送信部
１０５    素材配信部
１０６    ＲＳＳ  Ｐｉｎｇ受信部
１０７    ＲＳＳ処理部
１０８    ＲＳＳ  ＤＢ
１０９    トリガー判定部
１１０    編集コマンド保管部
１１１    ＲＳＳ編集部
１１２    編集ＲＳＳ送信部
１１３    文書編集部
１１４    文書送信部
１１５    プリンタ
１１６    文書ＤＢ
１１７    編集ＲＳＳ受信部
【図１】
2007328726.tif 000003
【図２】
2007328726.tif 000004
【図３】
2007328726.tif 000005
【図４】
2007328726.tif 000006
【図５】
2007328726.tif 000007
【図６】
2007328726.tif 000008
【図７】
2007328726.tif 000009
【図８】
2007328726.tif 000010
【図９】
2007328726.tif 000011
【図１０】
2007328726.tif 000012
【図１１】
2007328726.tif 000013
【図１２】
2007328726.tif 000014
【図１３】
2007328726.tif 000015
【図１４】
2007328726.tif 000016
【図１５】
2007328726.tif 000017
【図１６】
2007328726.tif 000018
【図１７】
2007328726.tif 000019
【図１８】
2007328726.tif 000020
【図１９】
2007328726.tif 000021
【図２０】
2007328726.tif 000022
【図２１】
2007328726.tif 000023
【図２２】
2007328726.tif 000024
【図２３】
2007328726.tif 000025